(57)【要約】【課題】非接触通信を利用したサービスを享受できる携帯保持具を提供する。【解決手段】第１ケース１１と第２ケース１２とを有すると共に内外を連通する連通孔が形成されたケースと、ケース内に収納されると共に一部が連通孔を通ってケースの外部に飛び出ているストラップ２０と、ケースに対して回転可能にケース内に収納されると共にストラップ２０を巻き取る巻取り部材３０と、巻取り部材３０に対して回転駆動力を与えるぜんまいばね５０と、ケース内に収納されると共に外部通信装置と非接触通信を行うＩＣチップ９０と、を備える。【選択図】図４
2015146975.tif 000002
【特許請求の範囲】
【請求項１】
第１ケースと第２ケースとを有すると共に内外を連通する連通孔が形成されたケースと、
前記ケース内に収納されると共に一部が前記連通孔を通って当該ケースの外部に飛び出ているストラップと、
前記ケースに対して回転可能に当該ケース内に収納されると共に前記ストラップを巻き取る巻取り部材と、
前記巻取り部材に対して回転駆動力を与える駆動バネと、
前記ケース内に収納されると共に外部通信装置と非接触通信を行う非接触通信部と、
を備えることを特徴とする携帯保持具。
【請求項２】
前記巻取り部材と前記第１ケースの内面との間に配置されると共に当該巻取り部材を回転可能に支持する回転軸を当該巻取り部材側に保持する回転軸保持部材をさらに備え、
前記非接触通信部は、前記回転軸保持部材における前記回転軸が設けられた側とは反対側に配置される
ことを特徴とする請求項１に記載の携帯保持具。
【請求項３】
前記非接触通信部は、前記回転軸保持部材と前記第１ケースの内面との間に配置される
ことを特徴とする請求項２に記載の携帯保持具。
【請求項４】
前記ケース内において前記第１ケース側から前記第２ケース側へ延びると共に前記巻取り部材を回転可能に支持する回転軸と、
前記ケースから露出すると共に前記第２ケースに対して移動可能であり、前記巻取り部材の回転を調整可能な調整部材と、
をさらに備え、
前記非接触通信部は、前記調整部材の周囲であって、前記巻取り部材と前記第２ケースの内面との間に配置される
ことを特徴とする請求項１に記載の携帯保持具。
【発明の詳細な説明】
【技術分野】
【０００１】
本発明は、携帯することができる小型機器等を、首や手首等に掛けるためのストラップを備えた携帯保持具に関する。
【背景技術】
【０００２】
例えば特許文献１に記載された携帯保持具は、ケース本体と、一部がこのケース本体内に収納されるストラップと、このストラップを巻き取るためにケース本体に対して回転自在に設けられる巻き取りドラムと、巻き取りドラムをストラップの巻き取り方向に付勢する駆動バネと、携帯電子機器などを吊り下げるためにケース本体の下端に設けられた係止部材とを備えている。ケース本体の上部には、ストラップを外部に出すための開口部が形成されており、ケース本体の中央部にはストラップの伸縮時においてストラップを固定するためのボタンが設けられている。
以上のように構成された携帯保持具は、ストラップを首や手首等に掛けると共に、係止部材を介して名前や顔写真等を記載したネームカードなどを装着することで、ユーザの体の前にネームカードなど配置するのに用いられる。
【先行技術文献】
【特許文献】
【０００３】
【特許文献１】特開２００９−６６２７６号公報
【発明の概要】
【発明が解決しようとする課題】
【０００４】
近年、搬送波による非接触通信を利用したサービスを提供するシステムが社会的に広がっている。例えば、電子マネーシステム、交通機関の改札システム、高速道路の料金徴収システム、電子決済システム、建造物への入館・入室用やＰＣのログイン用などのセキュリティシステムなどがある。それゆえ、携帯保持具自体がこれら非接触通信を利用したサービスを享受できると利便性が向上する。
そこで本発明は、非接触通信を利用したサービスを享受できる携帯保持具を提供することを目的とする。
【課題を解決するための手段】
【０００５】
かかる目的のもと、本発明は、第１ケースと第２ケースとを有すると共に内外を連通する連通孔が形成されたケースと、前記ケース内に収納されると共に一部が前記連通孔を通って当該ケースの外部に飛び出ているストラップと、前記ケースに対して回転可能に当該ケース内に収納されると共に前記ストラップを巻き取る巻取り部材と、前記巻取り部材に対して回転駆動力を与える駆動バネと、前記ケース内に収納されると共に外部通信装置と非接触通信を行う非接触通信部と、を備えることを特徴とする携帯保持具である。
【０００６】
ここで、前記巻取り部材と前記第１ケースの内面との間に配置されると共に当該巻取り部材を回転可能に支持する回転軸を当該巻取り部材側に保持する回転軸保持部材をさらに備え、前記非接触通信部は、前記回転軸保持部材における前記回転軸が設けられた側とは反対側に配置されるとよい。
また、前記非接触通信部は、前記回転軸保持部材と前記第１ケースの内面との間に配置されるとよい。
あるいは、前記ケース内において前記第１ケース側から前記第２ケース側へ延びると共に前記巻取り部材を回転可能に支持する回転軸と、前記ケースから露出すると共に前記第２ケースに対して移動可能であり、前記巻取り部材の回転を調整可能な調整部材と、をさらに備え、前記非接触通信部は、前記調整部材の周囲であって、前記巻取り部材と前記第２ケースの内面との間に配置されるとよい。
【発明の効果】
【０００７】
本発明によれば、非接触通信を利用したサービスを享受できる携帯保持具を提供することができる。
【図面の簡単な説明】
【０００８】
【図１】（ａ）は、第１の実施形態に係る携帯保持具を正面側から見た斜視図である。（ｂ）は、第１の実施形態に係る携帯保持具を背面側から見た斜視図である。
【図２】（ａ）は、第１の実施形態に係る携帯保持具の正面図である。（ｂ）は、（ａ）のIIb−IIb部の断面図である。（ｃ）は、（ａ）のIIc−IIc部の断面図である。
【図３】第１の実施形態に係る携帯保持具を正面側から見た分解斜視図である。
【図４】第１の実施形態に係る携帯保持具を背面側から見た分解斜視図である。
【図５】非接触通信部のブロック図である。
【図６】（ａ）は、第２の実施形態に係る携帯保持具の正面図である。（ｂ）は、（ａ）のVIb−VIb部の断面図である。
【図７】第２の実施形態に係る携帯保持具を正面側から見た分解斜視図である。
【図８】第２の実施形態に係る携帯保持具を背面側から見た分解斜視図である。
【発明を実施するための形態】
【０００９】
以下、添付図面を参照して、本発明の実施形態について詳細に説明する。
【００１０】
＜第１の実施形態＞
図１（ａ）は、第１の実施形態に係る携帯保持具１を正面側から見た斜視図である。図１（ｂ）は、第１の実施形態に係る携帯保持具１を背面側から見た斜視図である。
図２（ａ）は、第１の実施形態に係る携帯保持具１の正面図である。図２（ｂ）は、図２（ａ）のIIb−IIb部の断面図である。図２（ｃ）は、図２（ａ）のIIc−IIc部の断面図である。
図３は、第１の実施形態に係る携帯保持具１を正面側から見た分解斜視図である。
図４は、第１の実施形態に係る携帯保持具１を背面側から見た分解斜視図である。
【００１１】
第１の実施形態に係る携帯保持具１は、この携帯保持具１の外観をなすケース１０と、ケース１０内に収納されると共に一部がケース１０の外部に飛び出ているストラップ２０と、ケース内１０に収納されると共にケース１０に対して回転することでストラップ２０を巻き取る巻取り部材３０と、を有している。また、携帯保持具１は、ケース１０内に収納されると共に巻取り部材３０を回転可能に支持する回転軸４１を巻取り部材３０側に保持する回転軸保持部材４０と、一端が回転軸保持部材４０の回転軸４１に取り付けられると共に他端が巻取り部材３０に取り付けられたぜんまいばね５０と、を有している。また、携帯保持具１は、ケース１０から露出すると共にケース１０に対して移動可能であり、巻取り部材３０の回転を調整可能な調整部材の一例としてのボタン６０と、ボタン６０に対して復帰力を付与するコイルばね７０と、携帯する小型機器やネームカード等が装着されるホルダ８０と、を有している。また、携帯保持具１は、ＩＣチップ９０と、ＩＣチップ９０が実装された基板９１と、基板９１を保持する基板保持部材９２と、を備えている。
【００１２】
ケース１０は、外面に動物の顔が施された第１ケース１１と、第１ケース１１にねじ１５にて締め付けられる第２ケース１２とを有する。第１ケース１１の内面と第２ケース１２の内面とで、ストラップ２０、巻取り部材３０、回転軸保持部材４０、ぜんまいばね５０などを収納する内部空間を形成する。第１ケース１１に設けられた雌ねじ１１ａに、第２ケース１２に形成されたねじ孔１２ａを通されたねじ１５が締め付けられることで、第１ケース１１と第２ケース１２とが連結される。また、第１ケース１１に形成された凹部１１ｂに、第２ケース１２に設けられた凸部１２ｂが嵌め込まれることで、第１ケース１１と第２ケース１２との位置決めが行われる。
【００１３】
ケース１０の側壁には、内外を連通する連通孔１３が２つ形成されている。各連通孔１３は、第１ケース１１における第２ケース１２側の端部から凹んだ第１凹部１１ｃと、第２ケース１２における第１ケース１１側の端部から凹んだ第２凹部１２ｃと、にて形成される。これら２つの連通孔１３を介して輪状のストラップの一部がケース１０の外部に飛び出し、２つの連通孔１３間のケース１０の側壁を囲んでいる。
また、第１ケース１１，第２ケース１２は、下面から下方に突出すると共に対向する下方突出部１１ｄ，１２ｄが設けられている。下方突出部１１ｄ，１２ｄに形成された溝１１ｅ，１２ｅにホルダ８０が挿入されることでホルダ８０はケース１０に保持される。
また、第２ケース１２における中央部には貫通孔１２ｆが形成されており、この貫通孔１２ｆにボタン６０が嵌め込まれることでケース１０から露出する。貫通孔１２ｆの周囲壁には、ボタン６０に設けられた後述する外側嵌合部６２が嵌り込む溝１２ｇが形成されている。
【００１４】
また、ケース１０における、２つの連通孔１３の間には、巻取り部材３０にて巻き取られた状態（図２の状態）のストラップ２０が載る載置部１４が設けられている。載置部１４は、第１ケース１１，第２ケース１２における上面から上方に突出すると共に対向する上方突出部１１ｐ，１２ｐから構成される。
なお、本実施の形態に係るケース１０の大きさは、横が約４５ｍｍ、縦（下方突出部１１ｄ，１２ｄの下端面から上方突出部１１ｐ，１２ｐの上端面までの長さ）が約４０ｍｍ、厚さが約１３ｍｍである。
【００１５】
ストラップ２０は、例えばポリエステルを用いて平面状に作られた織物である。本実施形態に係るストラップ２０の大きさは、長さが約１０００ｍｍ、幅が約５ｍｍ、厚さが約０．４５ｍｍのものを使用している。なお、ストラップ２０の材質として、ナイロン、テトロン、ポリエチレン等の合成樹脂を用いてもよい。
ストラップ２０は、巻取り部材３０にその両端が固定されて輪状になっており、巻取り部材３０に重なるように巻き付けられている。そして、輪状になったストラップ２０の端部が、２つの連通孔１３を介してケース１０の外部に飛び出している。
【００１６】
巻取り部材３０は、ストラップ２０を巻く巻き部３１と、内側にぜんまいばね５０を収容するばね収容部３２と、内側に回転軸保持部材４０の回転軸４１が隙間ばめで嵌め込まれる軸受部３３と、コイルばね７０の一方の端部を支持するばね支持部３４と、を有している。ばね収容部３２におけるぜんまいばね５０の周囲に配置される部位には、ぜんまいばね５０の一方の端部が嵌め込まれる切り欠き３２ａが形成されている。
【００１７】
回転軸保持部材４０は、略円柱状の回転軸４１と、円板状の保持部材本体４２と、保持部材本体４２における外周部から外側へ突出した２つの突出部４３と、を有している。
回転軸４１は、保持部材本体４２の中央部から巻取り部材３０側へ延びている。また、この回転軸４１には、ぜんまいばね５０の他方の端部が嵌め込まれる切り欠き４１ａが形成されている。保持部材本体４２の外径は、ばね収容部３２の外径よりも大きく、保持部材本体４２における巻取り部材３０側の面は、巻取り部材３０と共にぜんまいばね５０を収容する空間を形成する。２つの突出部４３は、それぞれ先端部に第１ケース１１の凹部１１ｂを形成する周囲壁の外周部と嵌り合う切り欠き４３ａが形成されている。２つの突出部４３の切り欠き４３ａが第１ケース１１の凹部１１ｂを形成する周囲壁の外周部に嵌ることで回転軸保持部材４０の位置ずれが抑制される。
また、保持部材本体４２における第１ケース１１側（回転軸４１とは反対側）には、ＩＣチップ９０、基板９１および基板保持部材９２などを収容する凹部４４が形成されている。
なお、回転軸保持部材４０は、接着や溶着するなどして第１ケース１１に固定されていてもよい。
【００１８】
ぜんまいばね５０は、例えば鋼板などの弾性の高い素材を渦巻状に巻いた物である。そして、ぜんまいばね５０の一方の端部が巻取り部材３０の切り欠き３２ａに嵌め込まれ、他方の端部が回転軸保持部材４０の回転軸４１の切り欠き４１ａに嵌め込まれている。本実施形態に係る携帯保持具１においては、ケース１０の外部に飛び出たストラップ２０の量を多くするべくストラップ２０を手で引っ張ると、巻取り部材３０が回転して、巻かれた渦巻きが巻き方向に弾性変形してエネルギーを蓄積し、元の形状に戻ろうとする力を巻取り部材３０のストラップ２０を巻き取る方向の回転の動力源として利用する。
【００１９】
ボタン６０は、有底円筒状の部材であると共に、底部の中央部から中心線方向に延びた円柱状の突起６１を有している。また、ボタン６０は、外周面に、外周面から外側に突出すると共に、第２ケース１２の溝１２ｇと嵌り合う外側嵌合部６２と、巻取り部材３０に形成された切り欠き３５と嵌り合う内側嵌合部６３と、を有している。外側嵌合部６２が第２ケース１２の溝１２ｇに嵌められることで第２ケース１２に対する回転が抑制される。また、内側嵌合部６３が巻取り部材３０の切り欠き３５に嵌められることで巻取り部材３０の回転軸４１回りの回転を抑制する。ボタン６０が内側に押し込まれることで、内側嵌合部６３と巻取り部材３０の切り欠き３５との嵌合が解除する。それゆえ、ストラップ２０を引っ張りながらボタン６０を内側に押し込むと、巻取り部材３０が回転して外部に飛び出ているストラップ２０の量が増加する。他方、ストラップ２０を引っ張ることなしにボタン６０を内側に押し込むと、巻取り部材３０が逆方向に回転してストラップ２０を巻き取るため、外部に飛び出ているストラップ２０の量が減少する。
また、内側嵌合部６３が第２ケース１２の貫通孔１２ｆを形成する周囲壁の内側に配置されることでケース１０から脱落することが抑制される。
【００２０】
コイルばね７０は、ボタン６０の突起６１の周囲に配置される。そして、コイルばね７０の一方の端部が巻取り部材３０のばね支持部３４に支持され、他方の端部がボタン６０に支持される。
ホルダ８０は、金属の線材が輪状に形成された部材であり、第１ケース１１，第２ケース１２に設けられた下方突出部１１ｄ，１２ｄに形成された溝１１ｅ，１２ｅに挿入されることでケース１０に保持される。そして、このホルダ８０を介して、携帯保持具１に、携帯する小型機器やネームカード等が装着される。
【００２１】
ＩＣチップ９０は、ＣＰＵ、ＲＡＭ、ＲＯＭおよびＥＥＰＲＯＭなどを有する半導体集積回路である。本実施形態に係るＩＣチップ９０は、外部に配置された外部通信装置と非接触通信する非接触通信部１００として機能する。非接触通信部１００については後述する。
基板９１は、略矩形であり、ＩＣチップ９０を実装する。
基板保持部材９２は、略円板状の部材であり、回転軸保持部材４０に形成された凹部４４と第１ケース１１の内面とで形成された空間内に配置される。基板保持部材９２は、接着や溶着するなどして回転軸保持部材４０に固定されていてもよい。
【００２２】
以下に、非接触通信部１００について説明する。
図５は、非接触通信部１００のブロック図である。
非接触通信部１００は、携帯保持具１の外部に配置された外部通信装置と非接触通信するためのアンテナ１１０と、非接触通信部１００の動作全般を制御する通信制御部１２０と、コマンドやデータなどを暗号化する暗号処理部１３０と、メモリ１４０と、通信制御部１２０や暗号処理部１３０から入力される各種パケットを変調したりアンテナ１１０により受信された通信コマンドを復調したりする信号処理部１５０と、を備える。
【００２３】
アンテナ１１０は、携帯保持具１の外部に配置された外部通信装置から送信される所定周波数の磁界（以下、「搬送波」という。）がこのアンテナ１１０を通過するときに電磁誘導により生じる誘起電圧の交流成分を復調する。そして、アンテナ１１０は、外部通信装置から送信されるデータを取り出し、また、誘起電圧の直流成分から電力を得て駆動する。このアンテナ１１０は、信号処理部１５０により変調された各種パケットを非接触通信により送信したり、外部通信装置から送信された通信コマンドを受信したりする。
【００２４】
通信制御部１２０は、非接触通信部１００の動作全般を制御する。具体的には、通信制御部１２０は、外部通信装置からの通信コマンドを解析し、当該通信コマンドに応答するレスポンスパケットを生成したり、外部通信装置との相互認証を行なったりする。
暗号処理部１３０は、信号処理部１５０により復調された通信コマンドを復号したり、通信制御部１２０により生成されたデータパケットを暗号化したりする。
信号処理部１５０は、通信制御部１２０や暗号処理部１３０から入力される各種パケットを変調したり、アンテナ１１０により受信された通信コマンドを復調したりする。
【００２５】
なお、アンテナ１１０は、ＣＰＵなどがパッケージされたＩＣチップ９０とは別体で構成されていてもよい。また、通信制御部１２０、暗号処理部１３０、メモリ１４０および信号処理部１５０は、それぞれ別々のＩＣチップにて構成されていてもよい。
【００２６】
以上のように構成された携帯保持具１は、非接触通信部１００を備えていることにより、外部通信装置と非接触通信を行うことが可能である。ここで、外部通信装置とは、携帯保持具１が近接されると、携帯保持具１に対するデータの書き込み、または携帯保持具１からのデータの読出しなどを行なうことができるリーダ／ライタ装置である。
したがって、例えば、ユーザが携帯保持具１を外部通信装置にかざすだけで、携帯保持具１と外部通信装置との間の通信が行われる（例えば、データの読み書きを行うことができる。）。
【００２７】
近年、搬送波による非接触通信を利用したサービスを提供するシステムが社会的に広がっている。例えば、電子マネーシステム、交通機関の改札システム、高速道路の料金徴収システム、電子決済システム、建造物への入館・入室用やＰＣのログイン用などのセキュリティシステムなどがある。本実施形態に係る携帯保持具１は、非接触通信部１００を備えていることにより、非接触通信を利用したサービスを享受できる。
【００２８】
すなわち、本実施形態に係る携帯保持具１は、ホルダ８０を介して小型機器やネームカード等が装着することでこれらを携帯する以外に、例えば、以下の（１）〜（６）に示す装置として機能する。（１）電子マネー、ポイント、クーポン等の電子バリュー値（貨幣または貨幣に準じた価値を有するデータ）を記憶する装置、（２）電車、バス、高速道路等の交通機関の定期券または指定券、プリペイド式の運賃のデータなどを記憶する装置、（３）身分確認や、出退勤の管理、建造物への入退出時の鍵として使用される社員証、学生証などの身分証として用いられる装置、（４）各種の店舗や施設の会員、ポイント、クーポンについての情報を記憶する装置、（５）映画館、コンサート会場、スポーツ競技場、アミューズメント施設などの電子チケットデータを記憶した装置、（６）インターネット上でのショッピングや、動画・音楽コンテンツの配信、有価証券・預金等の金融商品の売買などといった電子商取引に用いる装置。
したがって、ユーザが本実施形態に係る携帯保持具１を使用することで利便性が向上する。
【００２９】
また、本実施形態に係る携帯保持具１においては、巻取り部材３０を回転可能に支持する回転軸４１を有する回転軸保持部材４０を備えると共に、この回転軸保持部材４０における回転軸４１とは反対側に形成した凹部４４に、ＩＣチップ９０、基板９１および基板保持部材９２などを収容する。それゆえ、携帯保持具１の厚さをそれ程大きくすることなく、ＩＣチップ９０が実装された基板９１をケース１０内に収容することができると共に、第１ケース１１の内面と回転軸保持部材４０との間に、基板９１を保持する基板保持部材９２を配置するだけであるので容易に組み立てることができる。
なお、基板保持部材９２を設けることなく、ＩＣチップ９０が実装された基板９１を回転軸保持部材４０に固定してもよい。
【００３０】
＜第２の実施形態＞
図６（ａ）は、第２の実施形態に係る携帯保持具１の正面図である。図６（ｂ）は、図６（ａ）のVIb−VIb部の断面図である。
図７は、第２の実施形態に係る携帯保持具１を正面側から見た分解斜視図である。
図８は、第２の実施形態に係る携帯保持具１を背面側から見た分解斜視図である。
【００３１】
第２の実施形態に係る携帯保持具１は、第１の実施形態に係る携帯保持具１と同様に、ＩＣチップ１９０、ＩＣチップ１９０が実装された基板１９１と、基板１９１を保持する基板保持部材１９２と、を備えている。そして、ＩＣチップ１９０は、ＣＰＵ、ＲＡＭ、ＲＯＭおよびＥＥＰＲＯＭなどを有する半導体集積回路であり、外部通信装置と非接触通信する上述した非接触通信部１００として機能する。
ただし、第２の実施形態に係る携帯保持具１は、第１の実施形態に係る携帯保持具１に対して、ＩＣチップ１９０、基板１９１および基板保持部材１９２の配置位置が異なり、巻取り部材３０と第２ケース１２の内面との間に配置される。以下では、異なる点について説明し、同じ点についての説明は省略する。
【００３２】
第２の実施形態に係る基板１９１は矩形である。
第２の実施形態に係る基板保持部材１９２は、基板１９１の大きさよりも一回り大きな矩形状の矩形部１９２ａと、矩形部１９２ａから下方に突出した２つの突出部１９２ｂと、を有している。２つの突出部１９２ｂには、それぞれ、回転軸４１の軸方向に、第２ケース１２側に延びる突起１９２ｃが設けられている。
【００３３】
第２の実施形態に係る第２ケース１２には、ＩＣチップ１９０、基板１９１などを収容する基板凹部１２ｈが形成されている。また、第２ケース１２には、基板保持部材１９２の突起１９２ｃが嵌め込まれる突起凹部１２ｊが形成されている。基板凹部１２ｈおよび突起凹部１２ｊは、貫通孔１２ｆを形成する周囲壁１２ｋの周囲に形成されている。本実施形態に係る第２ケース１２においては、図７に示すように、基板凹部１２ｈおよび突起凹部１２ｊは、周囲壁１２ｋの上方に形成されている。
【００３４】
以上のように構成された第２の実施形態に係る携帯保持具１においては、第２ケース１２に形成された突起凹部１２ｊに、基板保持部材１９２に設けられた突起１９２ｃが嵌め込まれることで、基板保持部材１９２が第２ケース１２に位置決めされると共に保持される。その際、ＩＣチップ１９０および基板１９１は、第２ケース１２に形成された基板凹部１２ｈに嵌め込まれる。
なお、基板保持部材１９２は、接着や溶着するなどして第２ケース１２に固定されていてもよい。
【００３５】
このように、第２の実施形態に係る携帯保持具１は、ＩＣチップ１９０、基板１９１および基板保持部材１９２が、巻取り部材３０と第２ケース１２の内面との間であって、貫通孔１２ｆを形成する周囲壁１２ｋの周囲に配置される。それゆえ、携帯保持具１の厚さを大きくすることなく、ＩＣチップ９０が実装された基板９１をケース１０内に収容することができると共に、第２ケース１２の内面と巻取り部材３０との間に、基板１９１を保持する基板保持部材１９２を配置するだけであるので容易に組み立てることができる。
なお、基板保持部材１９２を設けることなく、ＩＣチップ１９０が実装された基板１９１を第２ケース１２に、接着などにて固定してもよい。
【符号の説明】
【００３６】
１…携帯保持具、１０…ケース、１１…第１ケース、１２…第２ケース、２０…ストラップ、３０…巻取り部材、４０…回転軸保持部材、４１…回転軸、５０…ぜんまいばね、６０…ボタン、７０…コイルばね、８０…ホルダ、９０，１９０…ＩＣチップ、９１，１９１…基板、９２，１９２…基板保持部材、１００…非接触通信部
【図１】
2015146975.tif 000003
【図２】
2015146975.tif 000004
【図３】
2015146975.tif 000005
【図４】
2015146975.tif 000006
【図５】
2015146975.tif 000007
【図６】
2015146975.tif 000008
【図７】
2015146975.tif 000009
【図８】
2015146975.tif 000010